(57)【要約】【課題】空気に含まれる臭気成分やたばこ臭、ノネナール臭を取り除くことができ、空気の攪拌と同時に無臭かつ清浄な空気を送気することができるサーキュレーターを提供する。【解決手段】サーキュレーター１０Ａは、前面ガードと、前面ガードの後方に位置する背面ガードと、それらガードの間のスペースに位置してモーターに接続された羽根と、羽根の回転によって背面ガードからスペースに流入する空気に含まれる臭いを除去する脱臭具と、脱臭具の前面を背面ガードに対向させた状態で脱臭具を背面ガードの直後に交換可能に連結する第１連結手段とを備えている。サーキュレーター１０Ａでは、脱臭具が第１連結手段によって背面ガードの直後に連結されている。【選択図】図１
2017211105.tif 000002
【特許請求の範囲】
【請求項１】
前面ガードと、前記前面ガードの後方に位置する背面ガードと、それらガードの間のスペースに位置してモーターに接続された羽根とを有し、前記羽根の回転によって所定風量の空気を前記前面ガードの前方へ送気するサーキュレーターにおいて、
前記サーキュレーターが、前記羽根の回転によって前記背面ガードから前記スペースに流入する空気に含まれる臭いを除去する脱臭具と、前記脱臭具の前面を前記背面ガードに対向させた状態で該脱臭具を該背面ガードの直後に交換可能に連結する第１連結手段とを備え、前記脱臭具が、前記第１連結手段によって背面ガードの直後に連結されていることを特徴とするサーキュレーター。
【請求項２】
前記脱臭具が、所定面積および所定の厚みを有して空気に含まれる臭いを吸着する脱臭フィルタと、前記脱臭フィルタを支持する支持フレームとから形成され、前記サーキュレーターでは、前記第１連結手段を利用して前記支持フレームが前記背面ガードの後面中央に連結され、前記支持フレームに支持された脱臭フィルタが前記第１連結手段を介して前記背面ガードの直後に取り付けられている請求項１に記載のサーキュレーター。
【請求項３】
前記サーキュレーターの前記背面ガードの直後に取り付けられた前記脱臭フィルタが、中央開口と、前記中央開口を囲繞する内周縁と、前記内周縁から径方向外方へ離間する外周縁と、前記内周縁と前記外周縁との間に位置して径方向へ直状に延びる脱臭域とを有し、前記サーキュレーターでは、前記第１連結手段を利用して前記支持フレームが前記背面ガードの後面中央に連結されたときに、前記脱臭フィルタの脱臭域が前記背面ガードから後方へわずかに離間する請求項２に記載のサーキュレーター。
【請求項４】
前記支持フレームが、その中央に位置して前記脱臭フィルタの内周縁を支持する内周枠と、前記脱臭フィルタの外周縁を支持する外周枠と、前記内周枠と前記外周枠とに繋がって径方向へ延びる連結枠とを有し、前記サーキュレーターでは、前記第１連結手段を利用して前記支持フレームの内周枠が前記背面ガードの後面中央に連結されている請求項２または請求項３に記載のサーキュレーター。
【請求項５】
前記サーキュレーターでは、前記脱臭フィルタの中央開口の開口面積が前記背面ガードの中央に形成されて前記サーキュレーターのモーターに空気を送る複数の送気開口が位置する大きさであり、前記第１連結手段を利用して前記支持フレームの内周枠が前記背面ガードの後面中央に連結されたときに、前記内周枠がそれら送気開口を塞ぐことなく取り囲む請求項４に記載のサーキュレーター。
【請求項６】
前記サーキュレーターの前記背面ガードの直後に取り付けられた前記脱臭フィルタの脱臭域が、円環状に成形されて該背面ガードの外周縁の径方向内方に位置する大きさであり、前記支持フレームの外周枠が、円環状に成形されて前記背面ガードの外周縁の径方向内方に位置し、前記第１連結手段と前記支持フレームの内周枠とが、円環状に成形され、前記内周枠の全域が、前記第１連結手段を介して前記背面ガードの後面中央に連結されている請求項４または請求項５に記載のサーキュレーター。
【請求項７】
前記サーキュレーターの前記背面ガードの直後に取り付けられた前記脱臭フィルタが、その前後面間に延びる複数の通気路を有する連続気泡の軟質ポリウレタンフォームと、前記軟質ポリウレタンフォームの壁面に所定のバインダーを介して固着された活性炭粉末と、前記軟質ポリウレタンフォームの全体を包被する通気性の包装シートとから形成され、前記サーキュレーターでは、前記羽根の回転によって前記背面ガードから前記スペースに流入する空気に含まれる臭いが前記活性炭粉末に吸着される請求項１ないし請求項６いずれかに記載のサーキュレーター。
【請求項８】
前記サーキュレーターの前記背面ガードの直後に取り付けられた前記脱臭フィルタが、活性炭粉末を混入したポリエーテル系フォーム原料または活性炭粉末を混入したポリエステル系フォーム原料を発泡させて作られてその前後面間に延びる複数の通気路を有する連続気泡の軟質ポリウレタンフォームと、前記軟質ポリウレタンフォームの全体を包被する通気性の包装シートとから形成され、前記サーキュレーターでは、前記羽根の回転によって前記背面ガードから前記スペースに流入する空気に含まれる臭いが前記活性炭粉末に吸着される請求項１ないし請求項６いずれかに記載のサーキュレーター。
【請求項９】
前記複数の通気路が、前記軟質ポリウレタンフォームの壁面に囲繞されて該ポリウレタンフォームの内部に画成され、前記脱臭フィルタの前面と後面との間で前記軟質ポリウレタンフォームの厚み方向へ不規則に曲折しながら延びているとともに、前記脱臭フィルタの内周縁と外周縁との間で該ポリウレタンフォームの径方向へ不規則に曲折しながら延びている請求項７または請求項８に記載のサーキュレーター。
【請求項１０】
径方向へ隣接して厚み方向へ曲折して延びるそれら通気路が、径方向において部分的に繋がり、厚み方向へ隣接して径方向へ曲折して延びるそれら通気路が、厚み向において部分的に繋がっている請求項９に記載のサーキュレーター。
【請求項１１】
前記軟質ポリウレタンフォームでは、それら通気路の開口面積が厚み方向に向かって不規則に変化しているとともに径方向に向かって不規則に変化し、それら通気口の面積が相違している請求項９または請求項１０に記載のサーキュレーター。
【請求項１２】
前記軟質ポリウレタンフォームの厚み寸法が、１０〜２５ｍｍの範囲にあり、前記軟質ポリウレタンフォームの質量が、５０〜１００ｇの範囲にある請求項７ないし請求項１１いずれかに記載のサーキュレーター。
【請求項１３】
前記軟質ポリウレタンフォームの面速が、２５〜４０ｃｍ／ｓｅｃの範囲にある請求項７ないし請求項１２いずれかに記載のサーキュレーター。
【請求項１４】
前記包装シートが、所定のメッシュ数を有する通気性ネットまたは微細な不純物の捕集機能を有するエアフィルタである請求項７ないし請求項１３いずれかに記載のサーキュレーター。
【請求項１５】
前記第１連結手段が、雄ファスナと雌ファスナとから形成されたメカニカルファスナまたは両面粘着テープである請求項１ないし請求項１４いずれかに記載のサーキュレーター。
【請求項１６】
前記背面ガードの後面中央には、前記前面ガードに向かって凹む中央凹部が形成され、前記サーキュレーターが、前記背面ガードと前記支持フレームの内周枠との間に位置して前記中央凹部に嵌入しつつ、前記第１連結手段を介して前記支持フレームの内周枠に着脱可能に連結される連結部材と、前記連結部材を前記背面ガードの中央凹部に連結する第２連結手段とを備えている請求項４ないし請求項１５いずれかに記載のサーキュレーター。
【請求項１７】
前記第２連結手段が、雄ファスナと雌ファスナとから形成されたメカニカルファスナまたは両面粘着テープである請求項１６に記載のサーキュレーター。
【発明の詳細な説明】
【技術分野】
【０００１】
本発明は、羽根の回転によって所定風量の空気を前面ガードの前方へ送気するサーキュレーターに関する。
【背景技術】
【０００２】
羽根の回転によって所定風量の空気を前面ガードの前方へ送気するサーキュレーターが使用されている。サーキュレーターは、室内の冷暖房時に空気を攪拌して室温を均一に保持し、冷暖房効果を向上させる。サーキュレーターの一例として、羽根および羽根回転モーターを装着したケース体と、ケース体を俯角調整部で支持する支持体とを有し、俯角調整部が、ケース本体の側部に設置されて外周方向に複数の位置決め係合部が形成された回転軸部と、支持体に設置されて回転軸部を回転可能に枢支する軸受部と、回転軸部の位置決め係合部に弾性的に係合する可動係合部材と、回転軸部に設置された回転規制係止部と干渉して回転軸部の回転角範囲を規制する回転角規制手段とを備え、回転軸部がリング部を有し、そのリング部の外周方向に複数の凹凸状位置決め係合部が形成され、回転軸部の回転に伴って位置決め係合部に可動係合部材が係合することによって俯角を調整するサーキュレーターが開示されている（特許文献１参照）。前記特許文献１に開示のサーキュレーターは、サーキュレーターが大型化しても、サーキュレーターの俯角を所定の規制角度の範囲内で確実に調整することができるという効果を有する。
【先行技術文献】
【特許文献】
【０００３】
【特許文献１】特開２０１４−２１４８９５号公報
【発明の概要】
【発明が解決しようとする課題】
【０００４】
サーキュレーターは、空気を前面ガードの前方へ略直線的に送気する機能を有し、冷暖房時に室内の空気を攪拌して室温を均一に保持する用途に使用されるが、サーキュレーターに流入する空気に含まれる臭気成分やたばこ臭、ノネナール臭を取り除くことはできず、無臭かつ清浄な空気を前面ガードの前方へ送気することはできない。なお、空気に含まれる臭気成分には、アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトンが含まれる。
【０００５】
本発明の目的は、空気に含まれる臭気成分やたばこ臭、ノネナール臭を取り除くことができ、空気の攪拌と同時に無臭かつ清浄な空気を送気することができるサーキュレーターを提供することにある。
【課題を解決するための手段】
【０００６】
前記課題を解決するための本発明の前提は、前面ガードと、前面ガードの後方に位置する背面ガードと、それらガードの間のスペースに位置してモーターに接続された羽根とを有し、羽根の回転によって所定風量の空気を前面ガードの前方へ送気するサーキュレーターである。
【０００７】
前記前提における本発明の特徴は、サーキュレーターが、羽根の回転によって背面ガードからスペースに流入する空気に含まれる臭いを除去する脱臭具と、脱臭具の前面を背面ガードに対向させた状態で脱臭具を背面ガードの直後に交換可能に連結する第１連結手段とを備え、脱臭具が第１連結手段によって背面ガードの直後に連結されていることにある。
【０００８】
本発明の一例としては、脱臭具が、所定面積および所定の厚みを有して空気に含まれる臭いを吸着する脱臭フィルタと、脱臭フィルタを支持する支持フレームとから形成され、サーキュレーターでは、第１連結手段を利用して支持フレームが背面ガードの後面中央に連結され、支持フレームに支持された脱臭フィルタが第１連結手段を介して背面ガードの直後に取り付けられている。
【０００９】
本発明の他の一例としては、サーキュレーターの背面ガードの直後に取り付けられた脱臭フィルタが、中央開口と、中央開口を囲繞する内周縁と、内周縁から径方向外方へ離間する外周縁と、内周縁と外周縁との間に位置して径方向へ直状に延びる脱臭域とを有し、サーキュレーターでは、第１連結手段を利用して支持フレームが背面ガードの後面中央に連結されたときに、脱臭フィルタの脱臭域が背面ガードから後方へわずかに離間する。
【００１０】
本発明の他の一例としては、支持フレームが、その中央に位置して脱臭フィルタの内周縁を支持する内周枠と、脱臭フィルタの外周縁を支持する外周枠と、内周枠と外周枠とに繋がって径方向へ延びる連結枠とを有し、サーキュレーターでは、第１連結手段を利用して支持フレームの内周枠が背面ガードの後面中央に連結されている。
【００１１】
本発明の他の一例として、サーキュレーターでは、脱臭フィルタの中央開口の開口面積が背面ガードの中央に形成されてサーキュレーターのモーターに空気を送る複数の送気開口が位置する大きさであり、第１連結手段を利用して支持フレームの内周枠が背面ガードの後面中央に連結されたときに、内周枠がそれら送気開口を塞ぐことなく取り囲む。
【００１２】
本発明の他の一例としては、サーキュレーターの背面ガードの直後に取り付けられた脱臭フィルタの脱臭域が円環状に成形されて背面ガードの外周縁の径方向内方に位置する大きさであり、支持フレームの外周枠が円環状に成形されて背面ガードの外周縁の径方向内方に位置し、第１連結手段と支持フレームの内周枠とが円環状に成形され、内周枠の全域が第１連結手段を介して背面ガードの後面中央に連結されている。
【００１３】
本発明の他の一例としては、サーキュレーターの背面ガードの直後に取り付けられた脱臭フィルタが、その前後面間に延びる複数の通気路を有する連続気泡の軟質ポリウレタンフォームと、軟質ポリウレタンフォームの壁面に所定のバインダーを介して固着された活性炭粉末と、軟質ポリウレタンフォームの全体を包被する通気性の包装シートとから形成され、サーキュレーターでは、羽根の回転によって背面ガードからスペースに流入する空気に含まれる臭いが活性炭粉末に吸着される。
【００１４】
本発明の他の一例としては、サーキュレーターの背面ガードの直後に取り付けられた脱臭フィルタが、活性炭粉末を混入したポリエーテル系フォーム原料または活性炭粉末を混入したポリエステル系フォーム原料を発泡させて作られてその前後面間に延びる複数の通気路を有する連続気泡の軟質ポリウレタンフォームと、軟質ポリウレタンフォームの全体を包被する通気性の包装シートとから形成され、サーキュレーターでは、羽根の回転によって背面ガードからスペースに流入する空気に含まれる臭いが活性炭粉末に吸着される。
【００１５】
本発明の他の一例としては、複数の通気路が、軟質ポリウレタンフォームの壁面に囲繞されてポリウレタンフォームの内部に画成され、脱臭フィルタの前面と後面との間で軟質ポリウレタンフォームの厚み方向へ不規則に曲折しながら延びているとともに、脱臭フィルタの内周縁と外周縁との間でポリウレタンフォームの径方向へ不規則に曲折しながら延びている。
【００１６】
本発明の他の一例としては、径方向へ隣接して厚み方向へ曲折して延びるそれら通気路が径方向において部分的に繋がり、厚み方向へ隣接して径方向へ曲折して延びるそれら通気路が厚み向において部分的に繋がっている。
【００１７】
本発明の他の一例として、軟質ポリウレタンフォームでは、それら通気路の開口面積が厚み方向に向かって不規則に変化しているとともに径方向に向かって不規則に変化し、それら通気口の面積が相違している。
【００１８】
本発明の他の一例としては、軟質ポリウレタンフォームの厚み寸法が１０〜２５ｍｍの範囲にあり、軟質ポリウレタンフォームの質量が５０〜１００ｇの範囲にある。
【００１９】
本発明の他の一例としては、軟質ポリウレタンフォームの面速が２５〜４０ｃｍ／ｓｅｃの範囲にある。
【００２０】
本発明の他の一例としては、包装シートが所定のメッシュ数を有する通気性ネットまたは微細な不純物の捕集機能を有するエアフィルタである。
【００２１】
本発明の他の一例としては、第１連結手段が雄ファスナと雌ファスナとから形成されたメカニカルファスナまたは両面粘着テープである。
【００２２】
本発明の他の一例として、背面ガードの後面中央には、前面ガードに向かって凹む中央凹部が形成され、サーキュレーターが、背面ガードと支持フレームの内周枠との間に位置して中央凹部に嵌入しつつ、第１連結手段を介して支持フレームの内周枠に着脱可能に連結される連結部材と、連結部材を背面ガードの中央凹部に連結する第２連結手段とを備えている。
【００２３】
本発明の他の一例としては、第２連結手段が雄ファスナと雌ファスナとから形成されたメカニカルファスナまたは両面粘着テープである。
【発明の効果】
【００２４】
本発明にかかるサーキュレーターによれば、第１連結手段を利用して脱臭具がサーキュレーターの背面ガードの直後に交換可能に連結されているから、背面ガードから羽根に流入する空気が脱臭具を通流し、空気に含まれる臭気成分やたばこ臭、ノネナール臭を脱臭具によって除去することができ、サーキュレーターを通過する空気に含まれる臭気成分やたばこ臭、ノネナール臭を取り除くことができる。サーキュレーターは、空気に含まれる臭気成分やたばこ臭、ノネナール臭が脱臭具によって除去されるから、それら臭いを除去した清浄な空気を作ることができ、室内空気の攪拌と同時に無臭かつ清浄な空気を前面ガードの前方へ送気することができる。サーキュレーターは、背面ガードから羽根に流入する空気の流速が遅く、空気が脱臭具をゆっくりと通過するから、空気の脱臭具に対する接触時間を長くすることができ、空気に含まれる臭いを確実に除去することができる。サーキュレーターは、室内の空気がサーキュレーターの稼働中に脱臭具を通過した後、脱臭具を再び通過し、空気が脱臭具を繰り返し通流（循環）するから、室内の空気が脱臭具によって次第に浄化され、サーキュレーターを長時間稼働させることでその脱臭機能を十分に発揮させることができる。
【００２５】
脱臭具が所定面積および所定の厚みを有して空気に含まれる臭いを吸着する脱臭フィルタと脱臭フィルタを支持する支持フレームとから形成され、第１連結手段を利用して支持フレームが背面ガードの後面中央に連結され、支持フレームに支持された脱臭フィルタが第１連結手段を介して背面ガードの直後に取り付けられているサーキュレーターは、空気に含まれる臭いを除去する脱臭フィルタが第１連結手段を介して背面ガードの直後に取り付けられ、背面ガードから羽根に流入する空気に含まれる臭気成分やたばこ臭、ノネナール臭が脱臭フィルタによって除去されるから、それら臭いを除去した清浄な空気を作ることができ、室内空気の攪拌と同時に無臭かつ清浄な空気を前面ガードの前方へ送気することができる。
【００２６】
脱臭フィルタが中央開口と中央開口を囲繞する内周縁と内周縁から径方向外方へ離間する外周縁と内周縁および外周縁との間に位置して径方向へ直状に延びる脱臭域とを有し、第１連結手段を利用して支持フレームが背面ガードの後面中央に連結されたときに、脱臭フィルタの脱臭域が背面ガードから後方へわずかに離間するサーキュレーターは、脱臭フィルタの脱臭域が背面ガードに当接せず、脱臭域によって背面ガードが塞がれることがないから、空気が背面ガードから羽根に円滑に流入し、サーキュレーターの送気機能を損なうことなく、サーキュレーターを通過する空気に含まれる臭気成分やたばこ臭、ノネナール臭を取り除くことができる。サーキュレーターは、支持フレームを背面ガードの後面中央に連結したときに、脱臭フィルタの脱臭域と背面ガードとの間に間隙が作られるから、脱臭フィルタの脱臭域が背面ガードに当接する場合と比較し、脱臭フィルタに流入する空気の速度が遅くなり、空気が脱臭フィルタをゆっくりと通流し、脱臭フィルタに対する空気の接触時間を長くすることができ、脱臭フィルタによって空気に含まれる臭いを確実に除去することができる。
【００２７】
支持フレームがその中央に位置して脱臭フィルタの内周縁を支持する内周枠と脱臭フィルタの外周縁を支持する外周枠と内周枠および外周枠に繋がって径方向へ延びる連結枠とを有し、第１連結手段を利用して支持フレームの内周枠が背面ガードの後面中央に連結されているサーキュレーターは、支持フレームの内周枠が第１連結手段を利用して背面ガードの後面中央に連結され、支持フレームに支持された脱臭フィルタが背面ガードの直後に取り付けられるから、背面ガードから羽根に流入する空気に含まれる臭気成分やたばこ臭、ノネナール臭が脱臭フィルタによって除去され、それら臭いを除去した清浄な空気を作ることができ、室内空気の攪拌と同時に無臭かつ清浄な空気を前面ガードの前方へ送気することができる。サーキュレーターは、外側枠や内側枠、連結枠によって脱臭フィルタが十分に支持されるから、脱臭フィルタを通流する空気によってフィルタが変形することはなく、空気を脱臭フィルタ全体に満遍なく通流させることができる。
【００２８】
脱臭フィルタの中央開口の開口面積が背面ガードの中央に形成されてサーキュレーターのモーターに空気を送る複数の送気開口が位置する大きさであり、第１連結手段を利用して支持フレームの内周枠が背面ガードの後面中央に連結されたときに、内周枠がそれら送気開口を塞ぐことなく取り囲むサーキュレーターは、支持フレームの内周枠によって送気開口が塞がれることがないから、空気が送気開口からモーターに向かって円滑に流入し、送気開口の送気機能を損なうことはなく、送気開口から流入した空気によってモーターを空冷することができる。
【００２９】
脱臭フィルタの脱臭域が円環状に成形されて背面ガードの外周縁の径方向内方に位置する大きさであり、支持フレームの外周枠が円環状に成形されて背面ガードの外周縁の径方向内方に位置し、第１連結手段と支持フレームの内周枠とが円環状に成形され、内周枠の全域が第１連結手段を介して背面ガードの後面中央に連結されているサーキュレーターは、支持フレームの外周枠が背面ガードの外周縁の径方向内方に位置することで、外周枠がサーキュレーターの上下首振り時にサーキュレーターの回転スタンドに衝突することがなく、上下首振りの邪魔になることはない。サーキュレーターは、内周枠の全域が円環状の第１連結手段を介して背面ガードの後面中央に連結されることで、支持フレームを背面ガードの後面中央に確実に連結することができ、サーキュレーターの稼働時における脱臭具の不用意な脱落を防ぐことができる。
【００３０】
脱臭フィルタがその前後面間に延びる複数の通気路を有する連続気泡の軟質ポリウレタンフォームと軟質ポリウレタンフォームの壁面に所定のバインダーを介して固着された活性炭粉末と軟質ポリウレタンフォームの全体を包被する通気性の包装シートとから形成され、羽根の回転によって背面ガードからスペースに流入する空気に含まれる臭いが活性炭粉末に吸着されるサーキュレーターは、背面ガードから羽根に向かって進入する空気が軟質ポリウレタンフォームに形成された複数の通気路を通流するときに、ポリウレタンフォームの壁面に固着された活性炭に接触し、空気に含まれる臭気成分やたばこ臭、ノネナール臭が活性炭に吸着されるから、サーキュレーターを通過する空気に含まれる臭いを脱臭フィルタによって確実に取り除くことができる。サーキュレーターは、空気に含まれる臭気成分やたばこ臭、ノネナール臭が軟質ポリウレタンフォームの壁面に固着された活性炭によって除去されるから、それら臭いを除去した清浄な空気を作ることができ、室内空気の攪拌と同時に無臭かつ清浄な空気を前面ガードの前方へ送気することができる。サーキュレーターは、背面ガードから羽根に進入する空気の流速が遅く、空気が軟質ポリウレタンフォームのそれら通気路をゆっくりと通流するから、空気の活性炭に対する接触時間を長くすることができ、空気に含まれる臭いを活性炭に確実に吸着させることができる。サーキュレーターは、室内の空気がサーキュレーターの稼働中に軟質ポリウレタンフォームの通気路を通流した後、ポリウレタンフォームの通気路を再び通流し、空気がポリウレタンフォームの通気路を繰り返し通流（循環）するから、室内の空気が脱臭フィルタによって次第に浄化され、サーキュレーターを長時間稼働させることでその脱臭機能を十分に発揮させることができる。
【００３１】
脱臭フィルタが活性炭粉末を混入したポリエーテル系フォーム原料または活性炭粉末を混入したポリエステル系フォーム原料を発泡させて作られてその前後面間に延びる複数の通気路を有する連続気泡の軟質ポリウレタンフォームと軟質ポリウレタンフォームの全体を包被する通気性の包装シートとから形成され、羽根の回転によって背面ガードからスペースに流入する空気に含まれる臭いが活性炭粉末に吸着されるサーキュレーターは、背面ガードから羽根に向かって進入する空気が軟質ポリウレタンフォームに形成された複数の通気路を通流するときに、ポリウレタンフォームの壁面に露出する活性炭に接触し、空気に含まれる臭気成分やたばこ臭、ノネナール臭が活性炭に吸着されるから、サーキュレーターを通過する空気に含まれる臭いを脱臭フィルタによって確実に取り除くことができる。サーキュレーターは、空気に含まれる臭気成分やたばこ臭、ノネナール臭が軟質ポリウレタンフォームの壁面に露出する活性炭によって除去されるから、それら臭いを除去した清浄な空気を作ることができ、室内空気の攪拌と同時に無臭かつ清浄な空気を前面ガードの前方へ送気することができる。サーキュレーターは、背面ガードから羽根に進入する空気の流速が遅く、空気が軟質ポリウレタンフォームのそれら通気路をゆっくりと通流するから、空気の活性炭に対する接触時間を長くすることができ、空気に含まれる臭いを活性炭に確実に吸着させることができる。サーキュレーターは、室内の空気がサーキュレーターの稼働中に軟質ポリウレタンフォームの通気路を通流した後、ポリウレタンフォームの通気路を再び通流し、空気がポリウレタンフォームの通気路を繰り返し通流（循環）するから、室内の空気が脱臭フィルタによって次第に浄化され、サーキュレーターを長時間稼働させることでその脱臭機能を十分に発揮させることができる。
【００３２】
複数の通気路が軟質ポリウレタンフォームの壁面に囲繞されてポリウレタンフォームの内部に画成され、それら通気路が軟質ポリウレタンフォームの厚み方向へ不規則に曲折しながら延びているとともに、それら通気路がポリウレタンフォームの径方向へ不規則に曲折しながら延びているサーキュレーターは、それら通気路が軟質ポリウレタンフォームの厚み方向や径方向へ直状に延びる場合と比較し、ポリウレタンフォームの内部における通気路の全長が長くなり、ポリウレタンフォームの壁面の比表面積が大きくなるから、活性炭に対する空気の接触時間を長くすることができ、活性炭を塗布したポリウレタンフォームや活性炭を混入したポリウレタンフォームの臭気吸着機能を向上させることができ、サーキュレーターに流入する空気に含まれる臭気成分やたばこ臭、ノネナール臭をポリウレタンフォームに塗布された活性炭やポリウレタンフォームに混入された活性炭に十分かつ確実に吸着させることができる。サーキュレーターは、空気に含まれる臭気成分やたばこ臭、ノネナール臭がポリウレタンフォームに塗布された活性炭やポリウレタンフォームに混入された活性炭によって除去されるから、それら臭いを除去した清浄な空気を作ることができ、室内空気の攪拌と同時に無臭かつ清浄な空気を前面ガードの前方へ送気することができる。
【００３３】
径方向へ隣接して厚み方向へ曲折して延びるそれら通気路が径方向において部分的に繋がり、厚み方向へ隣接して径方向へ曲折して延びるそれら通気路が厚み向において部分的に繋がっているサーキュレーターは、軟質ポリウレタンフォームの内部における通気路の全長が長くなり、空気が隣接する通気路に進入することで、活性炭に対する空気の接触時間を長くすることができるから、活性炭を塗布したポリウレタンフォームや活性炭を混入したポリウレタンフォームの臭気吸着機能を向上させることができ、サーキュレーターに流入する空気に含まれる臭気成分やたばこ臭、ノネナール臭をポリウレタンフォームに塗布された活性炭やポリウレタンフォームに混入された活性炭に十分かつ確実に吸着させることができる。サーキュレーターは、空気に含まれる臭気成分やたばこ臭、ノネナール臭がポリウレタンフォームに塗布された活性炭やポリウレタンフォームに混入された活性炭によって除去されるから、それら臭いを除去した清浄な空気を作ることができ、室内空気の攪拌と同時に無臭かつ清浄な空気を前面ガードの前方へ送気することができる。
【００３４】
軟質ポリウレタンフォームのそれら通気路の開口面積が厚み方向に向かって不規則に変化しているとともに径方向に向かって不規則に変化し、それら通気口の面積が相違しているサーキュレーターは、通気路の開口面積が同一である場合と比較し、通気路を通過する空気が軟質ポリウレタンフォームの壁面に確実に衝突するから、活性炭を塗布したポリウレタンフォームや活性炭を混入したポリウレタンフォームの臭気吸着機能を向上させることができ、サーキュレーターに流入する空気に含まれる臭気成分やたばこ臭、ノネナール臭をポリウレタンフォームに塗布された活性炭やポリウレタンフォームに混入された活性炭に十分かつ確実に吸着させることができる。サーキュレーターは、空気に含まれる臭気成分やたばこ臭、ノネナール臭がポリウレタンフォームに塗布された活性炭やポリウレタンフォームに混入された活性炭によって除去されるから、それら臭いを除去した清浄な空気を作ることができ、室内空気の攪拌と同時に無臭かつ清浄な空気をサーキュレーターの前方へ送気することができる。
【００３５】
軟質ポリウレタンフォームの厚み寸法が１０〜２５ｍｍの範囲にあり、軟質ポリウレタンフォームの質量が５０〜１００ｇの範囲にあるサーキュレーターは、ポリウレタンフォームの厚み寸法を前記範囲にすることで、ポリウレタンフォームの壁面の比表面積を大きくすることができ、活性炭を塗布したポリウレタンフォームや活性炭を混入したポリウレタンフォームの臭気吸着機能を向上させることができるとともに、サーキュレーターに流入する空気に含まれる臭気成分やたばこ臭、ノネナール臭をポリウレタンフォームに塗布された活性炭やポリウレタンフォームに混入された活性炭に十分かつ確実に吸着させることができる。サーキュレーターは、軟質ポリウレタンフォームの質量が前記範囲にあるから、脱臭フィルタが軽量になり、脱臭具のサーキュレーターへの設置作業や交換作業を容易に行うことができるとともに、脱臭具のサーキュレーターからの不用意な脱落を防ぐことができる。
【００３６】
軟質ポリウレタンフォームの面速が２５〜４０ｃｍ／ｓｅｃの範囲にあるサーキュレーターは、軟質ポリウレタンフォームの面速が前記範囲にあるから、脱臭フィルタがサーキュレーターに流入する空気の抵抗になることはなく、羽根に空気をスムーズに流入させることができ、脱臭フィルタによって臭気成分やたばこ臭、ノネナール臭が除去された清浄な空気を前面ガードの前方へ円滑に送気することができる。また、サーキュレーターに流入する空気が軟質ポリウレタンフォームのそれら通気路を瞬時に通過することはなく、ポリウレタンフォームの通気路の壁面に空気を十分に接触させることができ、空気に含まれる臭気成分やたばこ臭、ノネナール臭をポリウレタンフォームに塗布された活性炭やポリウレタンフォームに混入された活性炭に十分かつ確実に吸着させることができる。
【００３７】
包装シートが所定のメッシュ数を有する通気性ネットまたは微細な不純物の捕集機能を有するエアフィルタであるサーキュレーターは、包装シートが通気性ネットから作られている場合、軟質ポリウレタンフォームが通気性ネットに保護されるから、そのネットによって軟質ポリウレタンフォームの破損や損壊を防ぐことができ、軟質ポリウレタンフォームが破損または損壊することによるポリウレタンフォームの臭気吸着機能の低下を防ぐことができる。サーキュレーターは、包装シートがエアフィルタから作られている場合、軟質ポリウレタンフォームがエアフィルタに保護されることはもちろん、空気がエアフィルタを通流するときに空気に含まれる微細な塵埃や花粉、ＰＭ２．５、雑菌等の不純物がエアフィルタに捕集され、空気に含まれる臭気とともにそれらの不純物を除去した清浄な空気を前面ガードの前方へ送気することができる。さらに、不純物が軟質ポリウレタンフォームの通気路に付着することがないから、不純物がポリウレタンフォームの通気路に付着することによる脱臭機能の低下を防ぐことができる。
【００３８】
第１連結手段が雄ファスナと雌ファスナとから形成されたメカニカルファスナまたは両面粘着テープであるサーキュレーターは、支持フレームがメカニカルファスナまたは両面粘着テープによって背面ガードの後面中央に連結されることで、メカニカルファスナや両面粘着テープを利用して支持フレームを背面ガードの後面中央に確実に連結することができ、サーキュレーターの稼働時における脱臭具の不用意な脱落を防ぐことができるとともに、サーキュレーターを通過する空気に含まれる臭気成分やたばこ臭、ノネナール臭を脱臭具によって取り除くことができる。
【００３９】
前面ガードに向かって凹む中央凹部が背面ガードの後面中央に形成され、背面ガードと支持フレームの内周枠との間に位置して中央凹部に嵌入しつつ、第１連結手段を介して支持フレームの内周枠に着脱可能に連結される連結部材と、連結部材を背面ガードの中央凹部に連結する第２連結手段とを備えているサーキュレーターは、背面ガードの後面中央に前面ガードに向かって凹む中央凹部が形成されたサーキュレーターがあるが、連結部材をその中央凹部に嵌め込み、第２連結手段を介して連結部材と中央凹部とを連結するとともに、第１連結手段を介して連結部材と支持フレームの内周枠とを連結することで、中央凹部が形成されたサーキュレーターに脱臭具を交換可能に取り付けることができ、サーキュレーターの稼働時における脱臭具の不用意な脱落を防ぐことができるとともに、中央凹部を有するサーキュレーターを通過する空気に含まれる臭気成分やたばこ臭、ノネナール臭を脱臭具によって取り除くことができる。
【００４０】
第２連結手段が雄ファスナと雌ファスナとから形成されたメカニカルファスナまたは両面粘着テープであるサーキュレーターは、連結部材が第２連結手段であるメカニカルファスナまたは両面粘着テープによって支持フレームに連結されるとともに、連結部材が第１連結手段であるメカニカルファスナまたは両面粘着テープによって背面ガードの後面中央に連結されることで、メカニカルファスナや両面粘着テープを利用して連結部材を支持フレームや背面ガードの後面中央に確実に連結することができ、サーキュレーターの稼働時における脱臭具の不用意な脱落を防ぐことができるとともに、中央凹部を有するサーキュレーターを通過する空気に含まれる臭気成分やたばこ臭、ノネナール臭を脱臭具によって取り除くことができる。
【図面の簡単な説明】
【００４１】
【図１】一例として示すサーキュレーターの正面斜視図。
【図２】脱臭具を取り付けた状態で示すサーキュレーターの背面斜視図。
【図３】脱臭具を取り付けた状態で示すサーキュレーターの側面図。
【図４】脱臭具の正面斜視図。
【図５】脱臭具の背面図。
【図６】図４のＡ−Ａ線矢視断面図。
【図７】脱臭具を形成する軟質ポリウレタンフォームの部分拡大斜視図。
【図８】脱臭具を取り外した状態で示すサーキュレーターの側面図。
【図９】脱臭具を取り外した状態で示すサーキュレーターの背面斜視図。
【図１０】他の一例として示す脱臭を取り付けた状態で示すサーキュレーターの背面斜視図。
【図１１】脱臭具の斜視図。
【図１２】図１１のＢ−Ｂ線矢視断面図。
【図１３】脱臭具を連結する前の他の一例として示すサーキュレーターの背面斜視図。
【図１４】脱臭具を連結した後のサーキュレーターの背面斜視図。
【図１５】連結部材が連結された状態の脱臭具の斜視図。
【図１６】図１５のＣ−Ｃ線矢視断面図。
【図１７】連結部材から剥離紙を剥がした状態の脱臭具の斜視図。
【発明を実施するための形態】
【００４２】
一例として示すサーキュレーター１０Ａの正面斜視図である図１等の添付の図面を参照し、本発明にかかるサーキュレーターの詳細を説明すると、以下のとおりである。なお、図２は、脱臭具１５Ａを取り付けた状態で示すサーキュレーター１０Ａの背面斜視図であり、図３は、脱臭具１５Ａを取り付けた状態で示すサーキュレーター１０Ａの側面図である。図４は、脱臭具１５Ａの正面斜視図であり、図５は、脱臭具１５Ａの背面図である。図６は、図４のＡ−Ａ線矢視断面図であり、図７は、脱臭具１５Ａを形成する軟質ポリウレタンフォーム２５の部分拡大斜視図である。図４では、ネット２６の一部を破断した状態で示す。図４〜図６では、径方向を矢印Ｘ、周り方向を矢印Ｙで示し、厚み方向を矢印Ｚで示するしをこうを。
【００４３】
サーキュレーター１０Ａは、室内の冷暖房時に空気を攪拌して室温を均一に保持し、冷暖房効果を向上させると同時に、サーキュレーター１０Ａに流入する空気に含まれる臭いを除去し、無臭かつ清浄な空気を送気する。サーキュレーター１０Ａは、回転スタンド１１と、回転スタンド１１に旋回可能に接続されたガード１２と、ガード１２の間のスペース１３に位置するモーターと、スペース１３に位置してモーターの回転軸に接続された羽根１４とを有する。
【００４４】
回転スタンド１１は、回転ベース１１ａと、回転ベース１１ａに対して左右に回転可能に設置されたスタンド本体１１ｂとから形成されている。ガード１２は、前面ガード１２ａと、前面ガード１２ａの後方に位置する背面ガード１２ｂとから形成されている。モーターは、背面ガード１２ｂに接続されたモーターケースに固定されている。サーキュレーター１０Ａは、モーターの回転によって羽根１４が回転し、羽根１４の回転によって所定風量の空気を前面ガード１２ａの前方へ送気する。なお、サーキュレーター１０ＡのＯＮ／ＯＦＦ操作や風量調整操作、上下首振り操作、左右首振り操作等の各操作は、スタンド本体１１ｂに取り付けられたスイッチ等によって行うことができる他、リモコンによって行うことができる。
【００４５】
サーキュレーター１０Ａは、脱臭具１５Ａ（サーキュレーター用脱臭具）と、脱臭具１５Ａを背面ガード１２ｂの直後に交換可能に連結する第１連結手段１６とを備えている。サーキュレーター１０Ａの背面ガード１２ｂの直後には、第１連結手段１６によって脱臭具１５Ａが交換可能に連結されている。脱臭具１５Ａは、空気に含まれる臭いを除去する脱臭フィルタ１７と、脱臭フィルタ１７を支持する支持フレーム１８とから形成されている。
【００４６】
脱臭フィルタ１７は、所定面積および所定の厚みを有して略円環状に成形されている。脱臭フィルタ１７は、略円環状の前面１９および略円環状の後面２０と、円状の中央開口２１（貫通孔）と、中央開口２１を囲繞して周り方向へ環状に延びる内周縁２２と、内周縁２２から径方向外方へ離間して周り方向へ環状に延びる外周縁２３と、内周縁２２と外周縁２３との間に位置して径方向へ直状に延びる略円環状の脱臭域２４とを有する。
【００４７】
脱臭フィルタ１７の一例としては、連続気泡を有する軟質ポリウレタンフォーム２５と、ポリウレタンフォーム２５の壁面２７に所定のバインダー（接着剤）を介して固着された活性炭粉末（図示せず）と、ポリウレタンフォーム２５の全体を包被（被覆）する所定のメッシュ数の通気性ネット２６（包装シート）とから形成されている。軟質ポリウレタンフォーム２５は、所定面積および所定の厚みを有するとともに可撓性を有し、弾性変形可能である。
【００４８】
軟質ポリウレタンフォーム２５の壁面２７に活性炭粉末を塗布するには、活性炭粉末とバインダーとの混合塗料をポリウレタンフォーム２５に吹き付け塗装し、その混合塗料を乾燥させる場合、または、活性炭粉末とバインダーとの混合塗料にポリウレタンフォーム２５をドブ付けし、その混合塗料を乾燥させる場合がある。活性炭粉末を塗布した軟質ポリウレタンフォーム２５では、ポリウレタンフォーム２５の壁面２７に活性炭粉末が積層され、ポリウレタンフォーム２５の壁面２７に活性炭被覆層が形成されている。
【００４９】
脱臭フィルタ１７の他の一例としては、活性炭粉末を混入したフォーム原料を発泡させた連続気泡を有する軟質ポリウレタンフォーム２５と、ポリウレタンフォーム２５の全体を包被する所定のメッシュ数の通気性ネット２６（包装シート）とから形成されている。活性炭粉末を混入したフォーム原料を発泡させた軟質ポリウレタンフォーム２５では、ポリウレタンフォーム２５の壁面２７に活性炭が露出している。活性炭粉末を混入した軟質ポリウレタンフォーム２５は、所定面積および所定の厚みを有するとともに可撓性を有し、弾性変形可能である。
【００５０】
活性炭粉末を混入した軟質ポリウレタンフォーム２５には、トリレンジイソシアネートとポリエーテルポリオール等を原料とするポリエーテル系フォーム、または、トリレンジイソシアネートと分岐ポリエステルポリオール等を原料とするポリエステル系フォームが使用されている。軟質ポリウレタンフォーム２５は、フォーム原料に気泡径の調整等に使用する添加剤を加え、水と発泡助剤とによって発泡が行われる。
【００５１】
活性炭粉末は、約３００〜５０００ｍ2／ｇの比表面積を有し、高い臭気吸着機能（ヨウ素やガス状セシウム等の放射性物質吸着機能を含む）を有する。活性炭粉末は、活性炭を微粉砕して作られており、その平均粒径が５〜１０μｍの範囲にある。活性炭粉末に加工する活性炭は、ヤシガラやおが屑、硬質の木材チップ、木炭、草炭等を原料として作られている。フォーム原料に対する活性炭粉末の混合割合は、フォーム原料１００重量％に対して活性炭粉末８０〜１８０重量％、好ましくは、フォーム原料１００重量％に対して活性炭粉末１００〜１５０重量％である。
【００５２】
軟質ポリウレタンフォーム２５は、脱臭フィルタ１７の前後面１９，２０の間に存在する複数の通気路２８と、通気路２８につながって脱臭フィルタ１７の前後面１９，２０に開口する複数の通気口２９とを有する（図７参照）。それら通気路２８は、ポリウレタンフォーム２５の壁面２７に囲繞されてポリウレタンフォーム２５の内部に画成されている。
【００５３】
それら通気路２８は、脱臭フィルタ１７の前面１９と後面２０との間においてポリウレタンフォーム２５の厚み方向へ不規則に曲折しながら延びているとともに、脱臭フィルタ１７の内周縁２２と外周縁２３との間においてポリウレタンフォーム２５の径方向へ不規則に曲折しながら延びている。径方向へ隣接して厚み方向へ曲折して延びるそれら通気路２８は、径方向において部分的につながり、一方の通気路２８と他方の通気路２８とが互いに連通している。厚み方向へ隣接して径方向へ曲折して延びるそれら通気路２８は、厚み向において部分的につながり、一方の通気路２８と他方の通気路２８とが互いに連通している。
【００５４】
それら通気路２８の開口面積は、厚み方向に向かって一様ではなく、厚み方向に向かって不規則に変化しているとともに、径方向に向かって一様ではなく、径方向に向かって不規則に変化している。それら通気路２８は、その開口面積が大きくなったり、小さくなったりしながら厚み方向と径方向とへ不規則に開口している。また、それら通気路２８につながるそれら通気口２９は、その面積が一様ではなく、その面積が相違している。
【００５５】
軟質ポリウレタンフォーム２５は、その厚み寸法が１０〜２５ｍｍの範囲、好ましくは、１２〜１７ｍｍの範囲にある。ポリウレタンフォーム２５の厚み寸法が１０ｍｍ未満では、ポリウレタンフォーム２５の壁面２７の比表面積を大きくすることができず、活性炭粉末を塗布したポリウレタンフォーム２５や活性炭粉末を混入したポリウレタンフォーム２５の臭気吸着機能を向上させることができない。ポリウレタンフォーム２５の厚み寸法が２５ｍｍを超過すると、ポリウレタンフォーム２５の空気抵抗が大きく、脱臭フィルタ１７がサーキュレーター１０Ａの羽根１４（スペース１３）に流入する空気の抵抗になり、羽根１４に空気をスムーズに流入させることができない。
【００５６】
軟質ポリウレタンフォーム２５は、その厚み寸法が前記範囲にあるから、ポリウレタンフォーム２５の壁面２７の比表面積を大きくすることができ、活性炭粉末を塗布したポリウレタンフォーム２５や活性炭粉末を混入したポリウレタンフォーム２５の臭気吸着機能を向上させることができ、サーキュレーター１０Ａに流入する空気に含まれる臭気成分やたばこ臭、ノネナール臭をポリウレタンフォーム２５に塗布された活性炭やポリウレタンフォーム２５に混入された活性炭に十分に吸着させることができる。また、ポリウレタンフォーム２５がサーキュレーター１０Ａの羽根１４に流入する空気の抵抗になることはなく、羽根１４に空気をスムーズに流入させることができ、所定量の空気を前面ガード１２ａの前方へ送気することができる。
【００５７】
軟質ポリウレタンフォーム２５は、その質量が５０〜１００ｇの範囲にある。脱臭フィルタ１７は、ポリウレタンフォーム２５の質量が前記範囲にあり、脱臭フィルタ１７を軽量にすることができるから、脱臭具１５Ａをサーキュレーター１０Ａに容易に取り付けることができ、脱臭具１５Ａをサーキュレーター１０Ａから容易に取り外すことができ、脱臭具１５Ａのサーキュレーター１０Ａへの設置作業や交換作業を容易に行うことができるとともに、脱臭具１５Ａのサーキュレーター１０Ａからの不用意な脱落を防ぐことができる。
【００５８】
軟質ポリウレタンフォーム２５は、その面速が２５〜４０ｃｍ／ｓｅｃの範囲、好ましくは、２５〜３５ｃｍ／ｓｅｃの範囲にある。ポリウレタンフォーム２５の面速が２５ｃｍ／ｓｅｃ未満では、空気がポリウレタンフォーム２５をスムーズに通流することができず、ポリウレタンフォーム２５がサーキュレーター１０Ａに流入する空気の抵抗になり、サーキュレーター１０Ａの羽根１４に空気をスムーズに流入させることができない。ポリウレタンフォーム２５の面速が４０ｃｍ／ｓｅｃを超過すると、サーキュレーター１０Ａに流入する空気がポリウレタンフォーム２５の通気路２８を素早く通過し、ポリウレタンフォーム２５の壁面２７に空気を十分に接触させることができず、空気に含まれる臭気成分やたばこ臭、ノネナール臭をポリウレタンフォーム２５に塗布された活性炭やポリウレタンフォーム２５に混入された活性炭に十分に吸着させることができない。
【００５９】
脱臭フィルタ１７は、ポリウレタンフォーム２５の面速が前記範囲にあるから、サーキュレーター１０Ａに進入した空気がポリウレタンフォーム２５の通気路２８を素早く通過することはなく、ポリウレタンフォーム２５の壁面２７に空気を十分に接触させることができ、空気に含まれる臭気成分やたばこ臭、ノネナール臭をポリウレタンフォーム２５に塗布された活性炭やポリウレタンフォーム２５に混入された活性炭に十分かつ確実に吸着させることができる。また、ポリウレタンフォーム２５がサーキュレーター１０Ａに流入する空気の抵抗になることはなく、サーキュレーター１０Ａの羽根１４に空気をスムーズに流入させることができ、脱臭フィルタ１７によって臭気成分やたばこ臭、ノネナール臭が除去された清浄な空気を前面ガード１２ａの前方へ円滑に送気することができる。
【００６０】
通気性ネット２６は、所定のメッシュ数を有する。通気性ネット２２には、たとえば、２４メッシュや３２メッシュ、６０メッシュ等を使用することができる。通気性ネット２６は、脱臭フィルタ１７の外周縁２３から径方向外方へ延びる部分が縫製され、脱臭フィルタ１７の内周縁２２から径方向内方へ延びる部分が縫製されている。なお、それら部分が熱融着によって固着されていてもよい。軟質ポリウレタンフォーム２５の全体が通気性ネット２６に包被されることで、ポリウレタンフォーム２５がネット２６に保護されるから、そのネット２６によってポリウレタンフォーム２５の破損や損壊を防ぐことができ、ポリウレタンフォーム２５が破損または損壊することによるポリウレタンフォーム２５の臭気吸着機能の低下を防ぐことができる。
【００６１】
支持フレーム１８は、プラスチック板や金属板から作られ、通気性ネット２６の外側に位置している。支持フレーム１８は、その中央に位置して脱臭フィルタ１７の内周縁２２を支持する円環状の内周枠３０と、脱臭フィルタ１７の外周縁２３を支持する円環状の外周枠３１と、内周枠３０と外周枠３１とに繋がって脱臭フィルタ１７の前面１９および後面２０において径方向へ直状に延びる複数の連結枠３２とを有する。支持フレーム１８では、内周枠３０と外周枠３１と連結枠３２とが一体成形されている。
【００６２】
内周枠３０は、脱臭フィルタ１７の内周縁２２において厚み方向へ延びるとともに、前面１９の側に向かって折れ曲がって径方向へ延び、後面２０の側に向かって折れ曲がって径方向へ延びている。内周枠３０は、脱臭フィルタ１７（通気性ネット２６を含むポリウレタンフォーム２５）の内周縁２２を包み込んでいる。外周枠３１は、脱臭フィルタ１７の外周縁２３において厚み方向へ延びるとともに、前面１９の側に向かって折れ曲がって径方向へ延び、後面２０の側に向かって折れ曲がって径方向へ延びている。外周枠３１は、脱臭フィルタ１７（通気性ネット２６を含むポリウレタンフォーム２６）の外周縁２３を包み込んでいる。
【００６３】
第１連結手段１６は、雄ファスナ３３（フック部材）と、雄ファスナ３３に係合した雌ファスナ３４（ループ部材）とから形成されたメカニカルファスナ３５であり、円環状に成形されている。雄ファスナ３３は、粘着剤または接着剤が塗布された基材テープに植毛され、粘着剤または接着剤によって基材テープとともに内周枠３０全域に固着されている。雌ファスナ３４は、粘着剤が塗布された基材テープに植毛され、粘着剤によって背面ガード１２ｂの後面中央３６に固着されている。なお、サーキュレーター１０Ａに取り付ける前の脱臭具１５Ａでは、図４に示すように、雌ファスナ３４が植毛された基材テープの粘着剤が剥離紙３７に被覆保護されている。また、第１連結手段１６が内周枠３０全域に固着された両面粘着テープであってもよい。第１連結手段１６が内周枠３０に固着された両面粘着テープである場合、サーキュレーター１０Ａに取り付ける前の脱臭具１５Ａでは、両面粘着テープの露出面が剥離紙に被覆保護されている。
【００６４】
脱臭具１５Ａをサーキュレーター１０Ａに新規に取り付ける手順の一例は、以下のとおりである。内周枠２２に固着されたメカニカルファスナ３５（第１連結手段１６）の雌ファスナ３４から剥離紙３７を剥がして粘着剤を露出させ、サーキュレーター１０Ａの背面ガード１２ｂの後面中央３６にメカニカルファスナ３５を押し付け、粘着剤によってメカニカルファスナ３５（支持フレーム１８の内周枠３０）をサーキュレーター１０Ａの背面ガード１２ｂの後面中央３６に連結し、支持フレーム１８を背面ガード１２ｂの後面中央３６に取り付ける。
【００６５】
サーキュレーター１０Ａでは、脱臭具１５Ａの支持フレーム１８の内周枠３０の全域がメカニカルファスナ３５を介して背面ガード１２ｂの後面中央３６に連結されている。支持フレーム１８の内周枠３０の全域がメカニカルファスナ３５（雄ファスナ３３および雌ファスナ３４）によって背面ガード１２ｂの後面中央３６に連結されることで、メカニカルファスナ３５を利用して支持フレーム１８を背面ガード１２ｂの後面中央３６に強固に連結することができ、サーキュレーター１０Ａの稼働時における脱臭具１５Ａの不用意な脱落を防ぐことができる。
【００６６】
サーキュレーター１０Ａでは、支持フレーム１８の内周枠３０を背面ガード１２ｂの後面中央３６に連結することで、支持フレーム１８に支持された脱臭フィルタ１７がメカニカルファスナ３５（第１連結手段１６）を介して背面ガード１２ｂの直後に取り付けられる。サーキュレーター１０Ａでは、脱臭具１５Ａの支持フレーム１８を背面ガード１２ｂの後面中央３６に連結したときに、脱臭フィルタ１８の脱臭域２４が背面ガード１２ｂから後方へわずかに離間し、脱臭フィルタ１８の前面１９と背面ガード１２ｂとの間に間隙４０が作られる。脱臭フィルタ１８の脱臭域２４（前面１９）と背面ガード１２ｂとの離間寸法は、５〜１５ｍｍである。
【００６７】
脱臭フィルタ１７の脱臭域２４は、背面ガード１２ｂの外周縁３８の径方向内方に位置する大きさであり、支持フレーム１８を背面ガード１２ｂの後面中央３６に連結したときに、脱臭フィルタ１７の外周縁２３（外周枠３１）が背面ガード１２ｂの外周縁３８の径方向内方（外周縁の内側近傍）であって背面ガード１２ｂの外周縁３６とサーキュレーター１０Ａの羽根１４の径方向先端との間に位置する。支持フレーム１８の外周枠３１が背面ガード１２ｂの外周縁３８の径方向内方に位置することで、外周枠３１がサーキュレーター１０Ａの上下首振り時にサーキュレーター１０Ａの回転スタンド１１に衝突することがなく、上下首振りの邪魔になることはない。
【００６８】
脱臭フィルタ１７の中央開口２１は、背面ガード１２ｂの後面中央３６に形成されてサーキュレーター１０Ａのモーターに空気を送る複数の送気開口３９が位置する大きさであり、支持フレーム１８を背面ガード１２ｂの後面中央３６に連結したときに、支持フレーム１８の内周枠３０がそれら送気開口３９を塞ぐことなく取り囲む。したがって、支持フレーム１８の内周枠３０によって送気開口３９が塞がれることがないから、空気が送気開口３９からモーターに向かって円滑に流入し、送気開口３９の送気機能を損なうことはなく、送気開口３９から流入した空気によってモーターを空冷することができる。
【００６９】
背面ガード１２ｂの後面中央３６に脱臭具１５Ａを取り付けた後、サーキュレーター１０ＡのスイッチをＯＮにすると、モーターによって羽根１４が回転し、空気が脱臭フィルタ１７を通過しつつ背面ガード１２ｂの後方から羽根１４に流入する。背面ガード１２ｂの後方からサーキュレーター１０Ａに向かって流動する空気は、通気ネット２６を通過し、軟質ポリウレタンフォーム２５の通気口２９から通気路２８に進入した後、通気路２８を通ってポリウレタンフォーム２５の通気口２９から流出し、再び通気ネット２６を通過してサーキュレーター１０Ａの羽根１４に流入する。なお、ポリウレタンフォーム２５の内部において通気路２８が厚み方向と径方向とへ不規則に曲折しながら延びているから、通気路２８を通る空気がポリウレタンフォーム２５の壁面２７に確実に接触（衝突）する。
【００７０】
ポリウレタンフォーム２５（脱臭フィルタ１７）の通気路２８に進入した空気は、厚み方向や径方向に曲折しながら延びる通気路２８を通流する過程でポリウレタンフォーム２５の壁面２７に接触（衝突）し、空気に含まれる臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）やたばこ臭、ノネナール臭が通気路２８に形成された活性炭粉末の被覆層や通気路２８に露出する活性炭粉末に吸着される。
【００７１】
サーキュレーター１０Ａでは、羽根１４の略全域に流入する空気のすべてが脱臭フィルタ１７を通過し、サーキュレーター１０Ａから送気される空気の略すべてが浄化される。サーキュレーター１０Ａは、脱臭フィルタ１７を形成する軟質ポリウレタンフォーム２５の壁面２７に活性炭粉末が塗布され、または、ポリウレタンフォーム２５に活性炭粉末が混入されているから、背面ガード１２ｂから羽根１４に向かって流入する空気がポリウレタンフォーム２５に形成された複数の通気路２８を通流するときに、空気がポリウレタンフォーム２５の壁面２７（活性炭）に接触（衝突）し、空気に含まれる臭気成分やたばこ臭、ノネナール臭が活性炭に吸着されるから、サーキュレーター１０Ａ（スペース１３）に流入する空気に含まれる臭気成分やたばこ臭、ノネナール臭を確実に取り除くことができる。
【００７２】
サーキュレーター１０Ａは、空気に含まれる臭気成分やたばこ臭、ノネナール臭が脱臭具１５Ａの脱臭フィルタ１７（ポリウレタンフォーム２５の活性炭）によって除去（吸着）されるから、それら臭いを除去した清浄な空気を作ることができ、サーキュレーター１０Ａによる室内空気の攪拌と同時にサーキュレーター１０Ａを利用して無臭かつ清浄な空気を前面ガード１２ａの前方へ送気することができる。
【００７３】
サーキュレーター１０Ａは、ポリウレタンフォーム２５の通気路２８が厚み方向と径方向とへ不規則に曲折しながら延びるとともに、隣接する通気路２８が厚み方向と径方向とにおいて部分的に繋がっているから、通気路２８が前面１９と後面２０との間で直状に延びる場合と比較し、ポリウレタンフォーム２５の内部における通気路２８の全長を長くすることができるとともに、ポリウレタンフォーム２５の壁面２７の比表面積を大きくすることができ、空気の脱臭フィルタ１７に対する接触時間を長くすることができる。したがって、活性炭粉末を塗布したポリウレタンフォーム２５や活性炭粉末を混入したポリウレタンフォーム２５の臭気吸着機能を向上させることができ、サーキュレーター１０Ａに流入する空気に含まれる臭気成分やたばこ臭、ノネナール臭を活性炭に十分かつ確実に吸着させることができる。
【００７４】
サーキュレーター１０Ａは、背面ガード１２ｂから羽根１４に進入する空気の流速が遅く、さらに、支持フレーム１８を背面ガード１２ｂの後面中央３６に連結したときに、脱臭フィルタ１７の前面１９と背面ガード１２ｂとの間に間隙４０が作られるから、脱臭フィルタ１７の前面１９が背面ガード１２ｂに当接する場合と比較し、脱臭フィルタ１７に流入する空気の速度が遅くなり、空気がポリウレタンフォーム２５の通気路２８をゆっくりと通流し、ポリウレタンフォーム２５の壁面２７（活性炭）に対する空気の接触時間を長くすることができ、空気に含まれる臭いを活性炭に確実に吸着させることができる。
【００７５】
サーキュレーター１０Ａは、それの稼働中に室内の空気がポリウレタンフォーム２５の通気路２８を通流した後、再びポリウレタンフォーム２５の通気路２８を通流し、空気がポリウレタンフォーム２５の通気路２８を繰り返し通流（循環）するから、室内の空気が脱臭フィルタ１７によって次第に浄化され、サーキュレーター１０Ａを長時間稼働させることでその脱臭機能を十分に発揮させることができる。
【００７６】
図８は、脱臭具１５Ａを取り外した状態で示すサーキュレーター１０Ａの側面図であり、図９は、脱臭具１５Ａを取り外した状態で示すサーキュレーター１０Ａの背面斜視図である。サーキュレーター１０Ａから脱臭具１５Ａを取り外すには、外周枠３１（支持フレーム１８）を背面ガード１２ｂの後方へ引っ張り、雄ファスナ３３と雌ファスナ３４との係合を解除する。
【００７７】
サーキュレーター１０Ａから脱臭具１５Ａが取り外されると、図９に示すように、背面ガード１２ｂの後面中央３６にメカニカルファスナ３５のうちの雌ファスナ３４が粘着剤よって固着され、雌ファスナ３４が背面ガード１２ｂの後面中央３６に残存し、雄ファスナ３３が固着された状態の脱臭具１５Ａがサーキュレーター１０Ａから分離される。使用期限を過ぎた脱臭具１５Ａはサーキュレーター１０Ａから取り外され、あらたな脱臭具１５Ａがサーキュレーター１０Ａの背面ガード１２ｂの直後に取り付けられる。
【００７８】
あらたな脱臭具１５Ａを背面ガード１２ｂの後面中央３６に取り付けるには、図４の状態の脱臭具１５Ａにおいて、メカニカルファスナ３５の雄ファスナ３３と雌ファスナ３４との係合を解除し、雄ファスナ３３のみを残してその雄ファスナ３３を背面ガード１２ｂの後面中央３６に残存する雌ファスナ３４に係合させる。
【００７９】
図１０は、他の一例として示す脱臭１５Ｂを取り付けた状態で示すサーキュレーター１０Ａの背面斜視図であり、図１１は、脱臭具１５Ｂの斜視図である。図１２は、図１１のＢ−Ｂ線矢視断面図である。図１１では、エアフィルタ４１の一部を破断した状態で示す。図１１，１２では、径方向を矢印Ｘ、周り方向を矢印Ｙで示し、厚み方向を矢印Ｚで示するしをこうを。
【００８０】
このサーキュレーター１０Ｂが図１のそれと異なるところは、軟質ポリウレタンフォーム２５の全体が微細な不純物の捕集機能を有する通気性のエアフィルタ４０に包被（被覆）された脱臭具１５Ｂがサーキュレーター１０Ｂに取り付けられている点にあり、その他の構成は図１のサーキュレーター１０Ａのそれらと同一であるから、図１のサーキュレーター１０Ａと同一の符号を付すとともに、図１のサーキュレーター１０Ａの説明を援用することで、このサーキュレーター１０Ｂのその他の構成の詳細な説明は省略する。
【００８１】
サーキュレーター１０Ｂは、サーキュレーター１０Ａと同様に、室内の冷暖房時に空気を攪拌して室温を均一に保持し、冷暖房効果を向上させると同時に、サーキュレーター１０Ｂに流入する空気に含まれる臭いを除去し、無臭かつ清浄な空気を送気する。サーキュレーター１０Ｂは、回転スタンド１１と、回転スタンド１１に旋回可能に接続されたガード１２と、ガード１２の間のスペース１３に位置するモーターと、スペース１３に位置してモーターの回転軸に接続された羽根１４とを有する。
【００８２】
回転スタンド１１は、回転ベース１１ａと、回転ベース１１ａに対して左右に回転可能に設置されたスタンド本体１１ｂとから形成されている。ガード１２は、前面ガード１２ａと、前面ガード１２ａの後方に位置する背面ガード１２ｂとから形成されている。モーターは、背面ガード１２ｂに接続されたモーターケースに固定されている。サーキュレーター１０Ｂは、モーターの回転によって羽根１４が回転し、羽根１４の回転によって所定風量の空気を前面ガード１２ａの前方へ送気する。なお、サーキュレーター１０ＢのＯＮ／ＯＦＦ操作や風量調整操作、上下首振り操作、左右首振り操作等の各操作は、スタンド本体１１ｂに取り付けられたスイッチ等によって行うことができる他、リモコンによって行うことができる。
【００８３】
サーキュレーター１０Ｂは、脱臭具１５Ｂ（サーキュレーター用脱臭具）と、脱臭具１５Ｂを背面ガード１２ｂの直後に交換可能に連結する第１連結手段１６とを備えている。第１連結手段１６（雄ファスナ３３（フック部材）および雌ファスナ３４（ループ部材））は、図１のサーキュレーター１０Ａに取り付けられた脱臭具１５Ａのそれらと同一である。サーキュレーター１０Ｂの背面ガード１２ｂの直後には、第１連結手段１６によって脱臭具１５Ｂが交換可能に連結されている。脱臭具１５Ｂは、空気に含まれる臭いを除去する脱臭フィルタ１７と、脱臭フィルタ１７を支持する支持フレーム１８とから形成されている。支持フレーム１８は、図１のサーキュレーター１０Ａに取り付けられた脱臭具１５Ａのそれと同一である。
【００８４】
脱臭フィルタ１７は、所定面積および所定の厚みを有して略円環状に成形されている。脱臭フィルタ１７は、前面１９および後面２０と、中央開口２１と、内周縁２２および外周縁２３と、脱臭域２４とを有する。脱臭フィルタ１７の一例としては、連続気泡を有する軟質ポリウレタンフォーム２５と、ポリウレタンフォーム２５の壁面２７に所定のバインダーを介して固着された活性炭粉末と、ポリウレタンフォーム２５の全体を包被するエアフィルタ４０（包装シート）とから形成されている。脱臭フィルタ１７の他の一例としては、活性炭粉末を混入したフォーム原料を発泡させた連続気泡を有する軟質ポリウレタンフォーム２５と、ポリウレタンフォーム２５の全体を包被するエアフィルタ４０（包装シート）とから形成されている。
【００８５】
ポリウレタンフォーム２５や活性炭粉末は、脱臭具１５Ａのそれらと同一である。軟質ポリウレタンフォーム２５の厚み寸法や質量、面速は、脱臭具１５Ａのそれらと同一である。脱臭フィルタ１７の脱臭域２４の大きさは、脱臭具１５Ａの脱臭フィルタ１７の脱臭域２４のそれと同一であり、脱臭フィルタ１７の中央開口２１の大きさは、脱臭具１５Ａの脱臭フィルタ１７の中央開口２１のそれと同一である。
【００８６】
エアフィルタ４０には、２５μｍ以上の粒子を捕集する中高性能フィルタ、０．３μｍ以上の粒子を捕集するＨＥＰＡフィルタのいずれかを使用することができる。フィルタ４０は、脱臭フィルタ１７の外周縁２３から径方向外方へ延びる部分が縫製され、脱臭フィルタ１７の内周縁２２から径方向内方へ延びる部分が縫製されている。なお、それら部分が熱融着によって固着されていてもよい。軟質ポリウレタンフォーム２５の全体がエアフィルタ４０に包被されることで、ポリウレタンフォーム２５がエアフィルタ４０に保護されるから、そのエアフィルタ４０によってポリウレタンフォーム２５の破損や損壊を防ぐことができ、ポリウレタンフォーム２５が破損または損壊することによるポリウレタンフォーム２５の臭気吸着機能の低下を防ぐことができる。
【００８７】
脱臭具１５Ｂは、脱臭具１５Ａと同様の手順でサーキュレーター１０Ｂに取り付けられる。サーキュレーター１０Ｂでは、支持フレーム１８の内周枠３０の全域がメカニカルファスナ３５を介して背面ガード１２ｂの後面中央３６に連結される。支持フレーム１８の内周枠３０の全域がメカニカルファスナ３５（雄ファスナ３３および雌ファスナ３４）によって背面ガード１２ｂの後面中央３６に連結されることで、メカニカルファスナ３５を利用して支持フレーム１８を背面ガード１２ｂの後面中央３６に強固に連結することができ、サーキュレーター１０Ｂの稼働時における脱臭具１５Ｂの不用意な脱落を防ぐことができる。なお、サーキュレーター１０Ｂから脱臭具１５Ｂを取り外す手順はサーキュレーター１０Ａのそれと同一である。
【００８８】
支持フレーム１８の内周枠３０をサーキュレーター１０Ｂの背面ガード１２ｂの後面中央３６に連結することで、支持フレーム１８に支持された脱臭フィルタ１７がメカニカルファスナ３５（第１連結手段１６）を介して背面ガード１２ｂの直後に取り付けられる。サーキュレーター１０Ｂでは、支持フレーム１８を背面ガード１２ｂの後面中央３６に連結したときに、脱臭フィルタ１８の脱臭域２４が背面ガード１２ｂから後方へわずかに離間し、脱臭フィルタ１８の前面１９と背面ガード１２ｂとの間に間隙４０が作られる。脱臭フィルタ１８の脱臭域２４（前面１９）と背面ガード１２ｂとの離間寸法は、５〜１５ｍｍである。
【００８９】
背面ガード１２ｂの後面中央３６に脱臭具１５Ｂを取り付けた後、サーキュレーター１０ＢのスイッチをＯＮにすると、モーターによって羽根１４が回転し、空気がエアフィルタ４０および脱臭フィルタ１７を通過しつつ背面ガード１２ｂの後方から羽根１４（スペース１３）に流入する。空気がエアフィルタ４０を通過するときに空気に含まれる微細な塵埃や花粉、ＰＭ２．５、雑菌等の不純物がエアフィルタ４０に捕集される。
【００９０】
それら不純物が除去された空気は、軟質ポリウレタンフォーム２５の通気口２９から通気路２８に進入した後、通気路２８を通ってポリウレタンフォーム２５の通気口２９から流出し、再びエアフィルタ４０を通過してサーキュレーター１０Ｂの羽根１３に流入する。なお、ポリウレタンフォーム２５の内部において通気路２８が厚み方向と径方向とへ不規則に曲折しながら延びているから、通気路２８を通る空気がポリウレタンフォーム２５の壁面２７に確実に接触（衝突）する。
【００９１】
不純物が除去されてポリウレタンフォーム２５（脱臭フィルタ１７）の通気路２８に進入した空気は、厚み方向や径方向に曲折しながら延びる通気路２８を通流する過程でポリウレタンフォーム２５の壁面２７に接触（衝突）し、空気に含まれる臭気成分やたばこ臭、ノネナール臭が通気路２８に形成された活性炭粉末の被覆層や通気路２８に露出する活性炭粉末に吸着される。
【００９２】
サーキュレーター１０Ｂでは、羽根１３の略全域に流入する空気のすべてがエアフィルタ４０や脱臭フィルタ１７を通過し、サーキュレーター１０Ｂから送気される空気の略すべてが浄化される。サーキュレーター１０Ｂは、脱臭フィルタ１７を形成する軟質ポリウレタンフォーム２５の壁面２７に活性炭粉末が塗布され、または、ポリウレタンフォーム２５に活性炭粉末が混入されているから、背面ガード１２ｂから羽根１４に向かって流入する空気がポリウレタンフォーム２５に形成された複数の通気路２８を通流するときに、空気がポリウレタンフォーム２５の壁面２７（活性炭）に接触（衝突）し、空気に含まれる臭気成分やたばこ臭、ノネナール臭が活性炭に吸着され、サーキュレーター１０Ｂに流入する空気に含まれる臭気成分やたばこ臭、ノネナール臭を確実に取り除くことができる。
【００９３】
サーキュレーター１０Ｂは、空気に含まれる臭気成分やたばこ臭、ノネナール臭が脱臭具１５Ａの脱臭フィルタ１７（ポリウレタンフォーム２５の活性炭）によって除去（吸着）されるから、それら臭いを除去した清浄な空気を作ることができ、サーキュレーター１０Ｂによる室内空気の攪拌と同時にサーキュレーター１０Ａを利用して無臭かつ清浄な空気を前面ガード１２ａの前方へ送気することができる。
【００９４】
サーキュレーター１０Ｂは、ポリウレタンフォーム２５の通気路２８が厚み方向と径方向とへ不規則に曲折しながら延びるとともに、隣接する通気路２８が厚み方向と径方向とにおいて部分的に繋がっているから、通気路２８が前面１９と後面２０との間で直状に延びる場合と比較し、ポリウレタンフォーム２５の内部における通気路２８の全長を長くすることができるとともに、ポリウレタンフォーム２５の壁面２７の比表面積を大きくすることができ、空気の脱臭フィルタ１７に対する接触時間を長くすることができる。したがって、活性炭粉末を塗布したポリウレタンフォーム２５や活性炭粉末を混入したポリウレタンフォーム２５の臭気吸着機能を向上させることができ、サーキュレーター１０Ｂに流入する空気に含まれる臭気成分やたばこ臭、ノネナール臭を活性炭に十分かつ確実に吸着させることができる。
【００９５】
サーキュレーター１０Ｂは、軟質ポリウレタンフォーム２５がエアフィルタ４０に保護されることはもちろん、空気がエアフィルタ４０を通流するときに空気に含まれる微細な塵埃や花粉、ＰＭ２．５、雑菌等の不純物がエアフィルタ４０に捕集され、空気に含まれる臭気とともにそれらの不純物を除去した清浄な空気を前面ガード１２ａの前方へ送気することができる。さらに、不純物が軟質ポリウレタンフォーム２５の通気路２８に付着することがないから、不純物がポリウレタンフォーム２５の通気路２８に付着することによる脱臭機能の低下を防ぐことができる。
【００９６】
サーキュレーター１０Ｂは、背面ガード１２ｂから羽根１４に進入する空気の流速が遅く、さらに、支持フレーム１８を背面ガード１２ｂの後面中央３６に連結したときに、脱臭フィルタ１７の前面１９と背面ガード１２ｂとの間に間隙４０が作られるから、脱臭フィルタ１７の前面１９が背面ガード１２ｂに当接する場合と比較し、脱臭フィルタ１１に流入する空気の速度が遅くなり、空気がポリウレタンフォーム２５の通気路２８をゆっくりと通流し、ポリウレタンフォーム２５の壁面２７（活性炭）に対する空気の接触時間を長くすることができ、空気に含まれる臭いを活性炭に確実に吸着させることができる。
【００９７】
サーキュレーター１０Ｂは、室内の空気がサーキュレーター１０Ｂの稼働中にポリウレタンフォーム２５の通気路２８を通流した後、再びポリウレタンフォーム２５の通気路２８を通流し、空気がポリウレタンフォーム２５の通気路２８を繰り返し通流（循環）するから、室内の空気が脱臭フィルタ１７（ポリウレタンフォーム２５の活性炭）によって次第に浄化され、サーキュレーター１０Ｂを長時間稼働させることでその脱臭機能を十分に発揮させることができる。
【００９８】
図１３は、脱臭具１５Ａを連結する前の他の一例として示すサーキュレーター１０Ｃの背面斜視図であり、図１４は、脱臭具１５Ａを連結した後のサーキュレーター１０Ｃの背面斜視図である。図１５は、連結部材４３が連結された状態の脱臭具１５Ａの斜視図であり、図１６は、図１５のＣ−Ｃ線矢視断面図である。図１７は、連結部材４３から剥離紙３７を剥がした状態の脱臭具１５Ａの斜視図である。図１４では、脱臭具１５Ａの一部を破断した状態で示す。図１５，１７では、ネット２６の一部を破断した状態で示す。図１５〜図１７では、径方向を矢印Ｘ、周り方向を矢印Ｙで示し、厚み方向を矢印Ｚで示するしをこうを。
【００９９】
このサーキュレーター１０Ｃが図１のそれと異なるところは、サーキュレーター１０Ｃの背面ガード１２ｂの後面中央３６に中央凹部４２が形成されている点、サーキュレーター１０Ｃが連結部材４３と第２連結手段４４とを備えている点にあり、その他の構成は図１のサーキュレーター１０Ａのそれらと同一であるから、図１のサーキュレーター１０Ａと同一の符号を付すとともに、図１のサーキュレーター１０Ａの説明を援用することで、このサーキュレーター１０Ｃのその他の構成の詳細な説明は省略する。
【０１００】
サーキュレーター１０Ｃは、サーキュレーター１０Ａと同様に、室内の冷暖房時に空気を攪拌して室温を均一に保持し、冷暖房効果を向上させると同時に、サーキュレーター１０Ｃに流入する空気に含まれる臭いを除去し、無臭かつ清浄な空気を送気する。サーキュレーター１０Ｃは、回転スタンド１１と、回転スタンド１１に旋回可能に接続されたガード１２と、ガード１２の間のスペース１３に位置するモーターと、スペース１３に位置してモーターの回転軸に接続された羽根１４とを有する。サーキュレーター１０Ｃの背面ガード１２ｂの後面中央３６には、前面ガード１２ａに向かって凹む中央凹部４２が形成されている。
【０１０１】
回転スタンド１１は、回転ベース１１ａと、回転ベース１１ａに対して左右に回転可能に設置されたスタンド本体１１ｂとから形成されている。ガード１２は、前面ガード１２ａと、前面ガード１２ａの後方に位置する背面ガード１２ｂとから形成されている。モーターは、背面ガード１２ｂに接続されたモーターケースに固定されている。サーキュレーター１０Ｃは、モーターの回転によって羽根１４が回転し、羽根１４の回転によって所定風量の空気を前面ガード１２ａの前方へ送気する。なお、サーキュレーター１０ＣのＯＮ／ＯＦＦ操作や風量調整操作、上下首振り操作、左右首振り操作等の各操作は、スタンド本体１１ｂに取り付けられたスイッチ等によって行うことができる他、リモコンによって行うことができる。
【０１０２】
サーキュレーター１０Ｃは、脱臭具１５Ａ（サーキュレーター用脱臭具）と、中央凹部４２に嵌入して脱臭具１５Ａとサーキュレーター１０Ｃとを連結する連結部材４３と、連結部材４３を支持フレーム１８の内周枠３０（脱臭具１５Ｃ）に連結する第１連結手段１６と、連結部材４３を背面ガード１２ｂの中央凹部４２に連結する第２連結手段４４とを備えている。
【０１０３】
脱臭具１５Ａは、空気に含まれる臭いを除去する脱臭フィルタ１７と、脱臭フィルタ１７を支持する支持フレーム１８とから形成されている。脱臭フィルタ１７や支持フレーム１８は、図１のサーキュレーター１０Ａに取り付けられた脱臭具１５Ａのそれらと同一である。なお、サーキュレーター１０Ｂに取り付けられた脱臭具１０Ｂの脱臭フィルタ１７と同様に、脱臭フィルタ１７のポリウレタンフォーム２５の全体がエアフィルタ４０（包装シート）に包被（被覆）されていてもよい。
【０１０４】
連結部材４３は、発泡プラスチックまたは中空のプラスチックから作られ、背面ガード１２ｂの中央凹部４２よりもわずかに小さく、中央凹部４２に挿脱可能である。発泡プラスチックには、発泡スチロールを使用することが好ましい。連結部材４３は、所定の厚みを有して略円環状（ドーナツ状）に成形され、円環状の前面４５および円環状の後面４６と中央開口４７とを有する。中央開口４７の大きさは、脱臭具１５Ａの脱臭フィルタ１７の中央開口２１のそれと同一である。連結部材４３は、図１４，１５に示すように、第１連結手段１６を介して支持フレーム１８の内周枠３０に連結されている。
【０１０５】
第１連結手段１６は、雄ファスナ３３（フック部材）と、雄ファスナ３３に係合した雌ファスナ３４（ループ部材）とから形成されたメカニカルファスナ３５であり、円環状に成形されている。雄ファスナ３３は、粘着剤または接着剤が塗布された基材テープに植毛され、粘着剤または接着剤によって基材テープとともに支持フレーム１８の内周枠３０全域に固着されている。雌ファスナ３４は、粘着剤または接着剤が塗布された基材テープに植毛され、粘着剤または接着剤によって基材テープとともに連結部材４３の後面４６全域に固着されている。なお、第１連結手段１６が内周枠３０全域に固着された両面粘着テープであってもよい。第１連結手段１６が内周枠３０に固着された両面粘着テープである場合、粘着テープによって連結部材４３と支持フレーム１８の内周枠３０とが連結される。
【０１０６】
第２連結手段４４は、雄ファスナ４８（フック部材）と、雄ファスナ４８に係合した雌ファスナ４９（ループ部材）とから形成されたメカニカルファスナ５０であり、円環状に成形されている。雄ファスナ４８は、粘着剤または接着剤が塗布された基材テープに植毛され、粘着剤または接着剤によって基材テープとともに連結部材４３の前面４５全域に固着されている。雌ファスナ４９は、粘着剤が塗布された基材テープに植毛されている。雌ファスナ４９が植毛された基材テープの粘着剤は、剥離紙３７に被覆保護されている。なお、第２連結手段４４が連結部材４３の前面４５全域に固着された両面粘着テープであってもよい。第２連結手段４４が連結部材４３に固着された両面粘着テープである場合、そのテープの露出面が剥離紙に被覆保護される。
【０１０７】
サーキュレーター１０Ｃに脱臭具１５Ａを取り付ける手順の一例は、以下のとおりである。連結部材４３の前面４５に固着されたメカニカルファスナ５０（第２連結手段４４）の雌ファスナ４９から剥離紙３７を剥がして粘着剤を露出させ、サーキュレーター１０Ｃの背面ガード１２ｂの後面中央３６に形成された中央凹部４２に連結部材４３を嵌入し（嵌め込み）、連結部材４３の前面４５のメカニカルファスナ５０を中央凹部４２（後面中央３６）に押し付け、粘着剤によってメカニカルファスナ５０（連結部材４３）をサーキュレーター１０Ｃの背面ガード１２ｂの中央凹部４２に連結し、支持フレーム１８を背面ガード１２ｂの中央凹部４２（後面中央３６）に取り付ける。連結部材４３は、サーキュレーター１０Ｃの背面ガード１２ｂと支持フレーム１８の内周枠３０との間に位置する。
【０１０８】
サーキュレーター１０Ｃでは、支持フレーム１８の内周枠３０の全域がメカニカルファスナ３５を介して連結部材４３に連結され、連結部材４３の前面４５全域がメカニカルファスナ５０を介して背面ガード１２ｂの中央凹部４２（後面中央３６）に連結される。支持フレーム１８の内周枠３０の全域がメカニカルファスナ３５（雄ファスナ３３および雌ファスナ３４）によって連結部材４３に連結されるとともに、連結部材４３の前面４５全域がメカニカルファスナ５０（雄ファスナ４８および雌ファスナ４９）を介して背面ガード１２ｂの中央凹部４２に連結されることで、連結部材４３（メカニカルファスナ３５，５０）を利用して脱臭具１５Ａの支持フレーム１８を背面ガード１２ｂの中央凹部４２に強固に連結することができ、サーキュレーター１０Ｃの稼働時における脱臭具１５Ａの不用意な脱落を防ぐことができる。
【０１０９】
背面ガード１２ｂの後面中央３６に前面ガード１２ａに向かって凹む中央凹部４２が形成されたサーキュレーター１０Ｃであっても、連結部材４３をその中央凹部４３に嵌め込み、第２連結手段４４を利用して連結部材４３と中央凹部４２とを連結するとともに、第１連結手段１６を利用して４連結部材４３と支持フレーム１８の内周枠３０（脱臭具１５Ａ）とを連結することで、中央凹部４２が形成されたサーキュレーター１０Ｃに脱臭具１５Ａを交換可能に取り付けることができる。
【０１１０】
支持フレーム１８の内周枠３０（脱臭具１５Ａ）をサーキュレーター１０Ｃの背面ガード１２ｂの中央凹部４２（後面中央３６）に連結することで、支持フレーム１８に支持された脱臭フィルタ１７が連結部材４３やメカニカルファスナ３５（第１連結手段１６）、メカニカルファスナ５０（第２連結手段４４）を介して背面ガード１２ｂの直後に取り付けられる。サーキュレーター１０Ｃでは、連結部材４３を利用して支持フレーム１８（脱臭具１５Ａ）を背面ガード１２ｂの中央凹部４２に連結したときに、脱臭フィルタ１７の脱臭域２４が背面ガード１２ｂから後方へわずかに離間し、脱臭フィルタ１７の前面１９と背面ガード１２ｂとの間に間隙４０が作られる。脱臭フィルタ１８の脱臭域２４（前面１９）と背面ガード１２ｂとの離間寸法は、５〜１５ｍｍである。
【０１１１】
脱臭フィルタ１７の中央開口２１や連結部材４３の中央開口４７は、背面ガード１２ｂの中央凹部４２に形成されてサーキュレーター１０Ｃのモーターに空気を送る複数の送気開口３９が位置する大きさであり、支持フレーム１８（脱臭具１５Ａ）を背面ガード１２ｂの中央凹部４２に連結したときに、支持フレーム１８の内周枠３０や連結部材４３がそれら送気開口３９を塞ぐことなく取り囲む。したがって、支持フレーム１８の内周枠３０や連結部材４３によって送気開口３９が塞がれることがないから、空気が送気開口３９からモーターに向かって円滑に流入し、送気開口３９の送気機能を損なうことはなく、送気開口３９から流入した空気によってモーターを空冷することができる。
【０１１２】
背面ガード１２ｂの中央凹部４２（後面中央３６）に脱臭具１５Ａを取り付けた後、サーキュレーター１０ＣのスイッチをＯＮにすると、モーターによって羽根１４が回転し、空気が脱臭フィルタ１７を通過しつつ背面ガード１２ｂの後方から羽根１４に流入する。背面ガード１２ｂの後方からサーキュレーター１０Ｃのスペース１３に向かって流動する空気は、通気ネット２６を通過し、軟質ポリウレタンフォーム２５の通気口２９から通気路２８に進入した後、通気路２８を通ってポリウレタンフォーム２５の通気口２９から流出し、再び通気ネット２６を通過してサーキュレーター１０Ｃの羽根１４に流入する。なお、ポリウレタンフォーム２５の内部において通気路２８が厚み方向と径方向とへ不規則に曲折しながら延びているから、通気路２８を通る空気がポリウレタンフォーム２５の壁面２７に確実に接触（衝突）する。
【０１１３】
ポリウレタンフォーム２５（脱臭フィルタ１７）の通気路２８に進入した空気は、厚み方向や径方向に曲折しながら延びる通気路２８を通流する過程でポリウレタンフォーム２５の壁面２７に接触（衝突）し、空気に含まれる臭気成分やたばこ臭、ノネナール臭が通気路２８に形成された活性炭粉末の被覆層や通気路２８に露出する活性炭粉末に吸着される。
【０１１４】
サーキュレーター１０Ｃでは、羽根１４（スペース１３）の略全域に流入する空気のすべてが脱臭具１５Ａの脱臭フィルタ１７を通過し、前面ガード１２ａから前方へ送気される空気の略すべてが浄化される。サーキュレーター１０Ｃは、脱臭フィルタ１７を形成する軟質ポリウレタンフォーム２５の壁面２７に活性炭粉末が塗布され、または、ポリウレタンフォーム２５に活性炭粉末が混入されているから、背面ガード１２ｂから羽根１４に向かって流入する空気がポリウレタンフォーム２５に形成された複数の通気路２８を通流するときに、空気がポリウレタンフォーム２５の壁面２７（活性炭）に接触（衝突）し、空気に含まれる臭気成分やたばこ臭、ノネナール臭が活性炭に吸着されるから、サーキュレーター１０Ｃに流入する空気に含まれる臭気成分やたばこ臭、ノネナール臭を確実に取り除くことができる。
【０１１５】
サーキュレーター１０Ｃは、空気に含まれる臭気成分やたばこ臭、ノネナール臭が脱臭具１５Ａの脱臭フィルタ１７によって除去されるから、それら臭いを除去した清浄な空気を作ることができ、サーキュレーター１０Ｃによる室内空気の攪拌と同時に無臭かつ清浄な空気を前面ガード１２ａの前方へ送気することができる。
【０１１６】
サーキュレーター１０Ｃは、脱臭フィルタ１７を形成するポリウレタンフォーム２５の通気路２８が厚み方向と径方向とへ不規則に曲折しながら延びるとともに、隣接する通気路２８が厚み方向と径方向とにおいて部分的に繋がっているから、通気路２８が前面１９と後面２０との間で直状に延びる場合と比較し、ポリウレタンフォーム２５の内部における通気路２８の全長を長くすることができるとともに、ポリウレタンフォーム２５の壁面２７の比表面積を大きくすることができ、空気の脱臭フィルタ１７に対する接触時間を長くすることができる。したがって、活性炭粉末を塗布したポリウレタンフォーム２５や活性炭粉末を混入したポリウレタンフォーム２５の臭気吸着機能を向上させることができ、サーキュレーター１０Ｃに流入する空気に含まれる臭気成分やたばこ臭、ノネナール臭を活性炭に十分かつ確実に吸着させることができる。
【０１１７】
サーキュレーター１０Ｃは、背面ガード１２ｂから羽根１４に進入する空気の流速が遅く、さらに、支持フレーム１８を背面ガード１２ｂの中央凹部４２（後面中央３６）に連結したときに、脱臭フィルタ１７の前面１９と背面ガード１２ｂとの間に間隙４０が作られるから（図３参照）、脱臭フィルタ１７の前面１９が背面ガード１２ｂに当接する場合と比較し、脱臭フィルタ１７に流入する空気の速度が遅くなり、空気がポリウレタンフォーム２５の通気路２８をゆっくりと通流し、ポリウレタンフォーム２５の壁面２７（活性炭）に対する空気の接触時間を長くすることができ、空気に含まれる臭いを活性炭に確実に吸着させることができる。
【０１１８】
サーキュレーター１０Ｃは、室内の空気がサーキュレーター１０Ｃの稼働中に脱臭フィルタ１７を形成するポリウレタンフォーム２５の通気路２８を通流した後、再びポリウレタンフォーム２５の通気路２８を通流し、空気がポリウレタンフォーム２５の通気路２８を繰り返し通流（循環）するから、室内の空気が脱臭フィルタ１７によって次第に浄化され、サーキュレーター１０Ｃを長時間稼働させることでその脱臭機能を十分に発揮させることができる。
【０１１９】
サーキュレーター１０Ｃから脱臭具１５Ａを取り外すには、外周枠３１（支持フレーム１８）を背面ガード１２ｂの後方へ引っ張り、雄ファスナ３３と雌ファスナ３４との係合を解除する。サーキュレーター１０Ｃから脱臭具１５Ａが取り外されると、背面ガード１２ｂの中央凹部４２に連結部材４３が残存し、連結部材４３が取り外された状態の脱臭具１５Ａがサーキュレーター１０Ｃから分離される。使用期限を過ぎた脱臭具１５Ａはサーキュレーター１０Ｃから取り外され、あらたな脱臭具１５Ａがサーキュレーター１０Ｃの背面ガード１２ｂの直後に取り付けられる。
【符号の説明】
【０１２０】
１０Ａ  サーキュレーター
１０Ｂ  サーキュレーター
１０Ｃ  サーキュレーター
１１    回転スタンド
１１ａ  回転ベース
１１ｂ  スタンド本体
１２    ガード
１２ａ  前面ガード
１２ｂ  背面ガード
１３    スペース
１４    羽根
１５Ａ  脱臭具
１５Ｂ  脱臭具
１５Ｃ  脱臭具
１６    第１連結手段
１７    脱臭フィルタ
１８    支持フレーム
１９    前面
２０    後面
２１    中央開口
２２    内周縁
２３    外周縁
２４    脱臭域
２５    軟質ポリウレタンフォーム
２６    通気性ネット
２７    壁面
２８    通気路
２９    通気口
３０    内周枠
３１    外周枠
３２    連結枠
３３    雄ファスナ
３４    雌ファスナ
３５    メカニカルファスナ
３６    後面中央
３７    剥離紙
３８    外周縁
３９    送気開口
４０    間隙
４１    エアフィルタ
４２    中央凹部
４３    連結部材
４４    第２連結手段
４５    前面
４６    後面
４７    中央開口
４８    雄ファスナ
４９    雌ファスナ
５０    メカニカルファスナ
【図１】
2017211105.tif 000003
【図２】
2017211105.tif 000004
【図３】
2017211105.tif 000005
【図４】
2017211105.tif 000006
【図５】
2017211105.tif 000007
【図６】
2017211105.tif 000008
【図７】
2017211105.tif 000009
【図８】
2017211105.tif 000010
【図９】
2017211105.tif 000011
【図１０】
2017211105.tif 000012
【図１１】
2017211105.tif 000013
【図１２】
2017211105.tif 000014
【図１３】
2017211105.tif 000015
【図１４】
2017211105.tif 000016
【図１５】
2017211105.tif 000017
【図１６】
2017211105.tif 000018
【図１７】
2017211105.tif 000019